(57)【要約】ネクタイにノットまたはノット状部を形成し、それらを、ネクタイ本体から分離可能で且シャツの襟元に取り付けられる留め具を介して、シャツの襟元に取り付けることによりネクタイを吊架させているネクタイであり、全く新しいタイプのネクタイとして老若男女を問わず使用できる。また、留め具を用いることにより、装着が容易にでき、首周りの圧迫が皆無であり、通常のネクタイに若干の変更を施すだけで済むので製造コストが安く、洗濯が可能であって洗濯しても型崩れを起こさず、通常のネクタイの状態に容易に戻す事ができ、通常のネクタイと外見上変わらないネクタイを提供する。
2005023033.tif 000002
【特許請求の範囲】
【請求項１】
ネクタイを切断・分離・穴あけ加工等しないで、ネクタイにノット状部またはノット（結び目）を形成し、そのノット状部またはノットを、留め具を介して、シャツ襟元に取り付けることにより、ネクタイが吊架されるようにしたネクタイ。
【請求項２】
ネクタイを、その大剣部と小剣部の間で、両部の裏面同士が合うように折り目線に沿って折りたたむことを前提にして、その折り目線近傍の小剣部を中央線に沿って折りたたむことにより絞りを形成し、ネクタイを折り目線に沿って折りたたんだ後、該絞りを折り目線近傍の大剣部で包み込み、且その両縁部を結合することによりくびれを形成し、該くびれと折り目線との間にノット状部を形成するようにしたことを特徴とする、請求項１に記載のネクタイ。
【請求項３】
絞りは、小剣部を表側から裏側に、または裏側から表側に折りたたむものであることを特徴とする、請求項２に記載のネクタイ。
【請求項４】
前記ノット状部またはノット内に、形整具を挿入したことを特徴とする、請求項１乃至３のいずれかに記載のネクタイ。
【請求項５】
前記ノット状部と大剣部は連続し、それらの表面に，絵柄や各種デザイン、装飾を施して成ることを特徴とする請求項１乃至４のいずれかに記載のネクタイ。
【請求項６】
前記形整具と前記留め具の周りにネクタイを結ぶ事により、通常のネクタイと同様なノットを形成し、そのノットをシャツの襟元に取り付けることを特徴とする請求項４に記載のネクタイ。
【請求項７】
ネクタイを、通常の結び方で結んだ後、該ノットの中に首周り部を引き込むことにより、ネクタイにノット状部を形成し、そのノット状部を、前記留め具を介して、シャツ襟元に取り付けることを特徴とする、請求項１または４に記載のネクタイ。
【請求項８】
ノット状部が、通常のノットと、その上部に位置する首周り部の一部とから成ることを特徴とする、請求項７に記載のネクタイ。
【請求項９】
ノット状部の下近傍の大剣部及び小剣部において、小剣部を包み込むように大剣部の両縁部を結合することにより、ノット状部の下にくびれを形成することを特徴とする、請求項７または８に記載のネクタイ。
【請求項１０】
留め具が、両端に結合部が設けられた帯片であって、前記ノット状部またはノットに前記帯片を通して後、該結合部をシャツの襟元に設けられた結合部に結合させることを特徴とする、請求項１乃至９のいずれかに記載のネクタイ。
【請求項１１】
留め具が、両端に結合部が設けられた帯片であって、該結合部をシャツの襟元に設けられた結合部に結合させると共に、前記帯片の上に設けられた他の結合部に、前記ノット状部またはノットに設けられた更に他の結合部を結合させることを特徴とする、請求項１乃至１０のいずれかに記載のネクタイ。
【請求項１２】
前記留め具の結合部の少なくとも１つが、帯片の表裏に同心的に固定されたスナップから構成されていることを特徴とする、請求項１０または１１に記載のネクタイ。
【請求項１３】
大剣部の一部を、裏面側からつまむ事により、該大剣部の表面にディンプル（くぼみ）を形成したことを特徴とする、請求項１乃至１２のいずれかに記載のネクタイ。
【請求項１４】
大剣部の裏面、または小剣部の表面または裏面に、シャツの第１ボタン以外のボタンに係止するボタン係止部を設け、その位置をボタン位置に応じて自在に変更可能にしたことを特徴とする、請求項１乃至１３のいずれかに記載のネクタイ。
【請求項１５】
ボタン係止部に係止されるシャツのボタンが、ボタンとスナップを合体させ、両方の機能を持たせたスナップ付きボタンであることを特徴とする、請求項１４に記載のネクタイ。
【請求項１６】
両端に結合部が設けられた帯片であって、該結合部をシャツの襟元に設けられた結合部に結合させた該帯片を、ネクタイとすることを特徴とするネクタイ。
【請求項１７】
シャツの襟元に結合される留め具を介して、シャツ襟元に取り付けるようにした蝶ネクタイまたはリボンネクタイ。
【請求項１８】
請求項１乃至１７のいずれかに記載のネクタイが装着されるシャツ。
【請求項１９】
ボタンとスナップを合体させ、両方の機能を持たせたことを特徴とするスナップ付きボタン。
【請求項２０】
ナプキンに、１つ以上のスナップを取り付けたことを特徴とするナプキン。
【発明の詳細な説明】
【技術分野】  この発明は、留め具を利用することにより、装着が容易でしかも首周りの圧迫感が皆無など様々な利点を有するネクタイ及びシャツ、ボタン、ナプキンを提供することに関する。
【背景技術】  ネクタイは、それを着用する人の趣味、性格、社会的な地位や感情の表現等をあらわす男性の装飾品として１９世紀初期から用いられてきた極めて大事なものである。しかし、ネクタイの装着すなわち結び方は慣れないと難しい上に、装着時の首周りの圧迫により体熱の発散が抑制されると同時に、血行が悪くなり、中には肩がこる人も多く、これらの改善が求められてきた。また、従来のネクタイでは結び目（ノット）と、その下にある大剣部とではネクタイの絵柄が連続せず、美観を損なうものであった。
そこで、従来、装着を容易にしたものとして、図１に示した例１のように、予め装着時の形に形成されたネクタイ１の結び目２に紐３を環状に通し、該紐３の環を首にかけて該紐３の一端３ａを引っ張って環を絞ることにより装着するものがあった。ところが、この従来例も装着時の首周りの圧迫を解消するものではなく、紐３の一端３ａをさらに強く引っ張った場合には、窒息すら起こしかねないものであった。また、シャツの襟に重ねて小剣部が巻きつけられるので、体熱が逃げにくく、特に夏季において暑苦しいものであった。さらに、予め専門業者により結び目２を形成してもらうために製造コストが高く、汗により最も汚れやすい結び目２は、洗濯されると水分を多く含むために乾きにくく、型崩れも起き易いという欠点があった。
さらに、従来、装着を容易にしたネクタイとして、図２に示した例２のように、予め装着時の形に形成されたネクタイ１の結び目（ノット）２に挟着フック（スナップ金具）４を組み込み、該挟着フックによりシャツの襟元を挟持することにより装着するものがあった。ところが、この従来例は装着時の首周りの圧迫を解消するものではあるが、シャツの第一ボタンを必ず嵌める必要があり、装着は簡単だが、脱着にはかなりの力が必要である。また挟着フック４のフック部が直接肌に触れるのでアレルギー反応を引き起こしやすいものであった。
また、予め専門業者により結び目２を形成してもらうために製造コストが高く、汗により最も汚れやすい結び目２は、挟着フック４が組み込まれているため原則として洗濯が不可能であり、やむを得ず洗濯した時は、水分を多く含むために乾きにくく、型崩れも起き易いという欠点があった。
さらに、上記いずれのネクタイも、予め装着時の形に加工されているので、通常のネクタイの状態に戻す事は不可能であった。また、複雑な結び方でノットを作っているため、ネクタイの絵柄が連続せず、美観を損なうものであった。
【特許文献１】特開２００２−３１７３２１号
【特許文献２】登録実用新案第３０１２１３４号
【発明の開示】
そこで、本発明は、留め具を用いることにより装着・脱着が容易にでき、シャツの第一ボタンは嵌めなくて良く、首周りの圧迫が皆無であり、通常のネクタイに若干の変更を施すだけで済むので、製造コストが安く、洗濯が可能であって、洗濯しても型崩れを起こさず、通常のネクタイの状態に容易に戻す事ができるなど数々の利点を有するネクタイを提供することを目的とする。
上記目的を達成するために、請求項１に記載の発明は、
ネクタイを切断・分離・穴あけ加工等しないで、ネクタイにノット状部またはノットを形成し、それらを、ネクタイ本体から分離可能で且シャツ襟元の表側に取り付けられる留め具を介して、シャツ襟元に取り付けることにより、ネクタイが吊架されるようにしたネクタイである。
この構成によれば、ネクタイを首に巻かないので、首周りの圧迫感がゼロにでき、ネクタイを簡単に装着・脱着が出来る。
請求項２に記載の発明は、請求項１において、
ネクタイを、その大剣部と小剣部の間で、両部の裏面同士が合うように折り目線に沿って折りたたむことを前提にして、その折り目線近傍の小剣部を中央線に沿って折りたたむことにより絞りを形成し、ネクタイを折り目線に沿って折りたたんだ後、該絞りを折り目線近傍の大剣部で包み込み、且その両縁部を結合することによりくびれを形成し、該くびれと折り目線との間にノット状部を形成するようにしたことを特徴とするものである。
この構成により、首に巻かない、ノットが無い（ノット状部はある）ネクタイが使用できる。
請求項３に記載の発明は、請求項２において、
絞りは、小剣部を表側から裏側に、または裏側から表側に折りたたむものであることを特徴とするものである。
請求項４に記載の発明は、請求項１乃至３のいずれかにおいて、
ノット状部またはノット内に、形整具を挿入したことを特徴とするものである。
この形整具により、ネクタイの形を美しく整えることができる。
請求項５に記載の発明は、請求項１乃至４のいずれかにおいて、
ネクタイのノット状部とその下方の大剣部が連続している長所を生かして、その表面に、絵柄や各種デザイン、装飾を施すことを特徴とするものである。
通常のネクタイでは、ノットとその下の大剣部の表面は断続されるため、絵柄などをノットから連続して表すことはできない。しかしこの発明によりこれが可能である。
請求項６に記載の発明は、請求項４において、
前記形整具と、前記留め具の周りにネクタイを結ぶことにより、通常のネクタイと同様なノットを形成し、そのノットをシャツの襟元に取り付けることを特徴とするものである。
この構成により、首に巻かないネクタイに拘らず、外見上は通常のネクタイと変わらないネクタイを使用できる。
請求項７に記載の発明は、請求項１において、
ネクタイを通常の結び方で結んだ後、該結び目の中に首周り部を引き込むことにより、ネクタイにノット状部を形成し、そのノット状部を、前記留め具を介して、シャツ襟元に取り付けることを特徴とするものである。
このネクタイも請求項６のネクタイと同様に、外見上は通常のネクタイと変わらない。
請求項８に記載の発明は、請求項７において、
ノット状部が、通常の結び目と、その上部に位置する首周り部の一部とから成ることを特徴とするものである。
請求項９に記載の発明は、請求項７または８において、
ノット状部の下近傍の大剣部及び小剣部において、小剣部を包み込むように大剣部の両縁部を結合することにより、ノット状部の下にくびれを形成することを特徴とするものである。
請求項１０に記載の発明は、請求項１乃至９のいずれかにおいて、
留め具が、両端に結合部が設けられた帯片であって、前記ノット状部またはノットに、前記帯片を通して後、該結合部をシャツの襟元に設けられた結合部に結合させることを特徴とするものである。
請求項１１に記載の発明は、請求項１乃至１０のいずれかにおいて、
留め具が、両端に結合部が設けられた帯片であって、該結合部をシャツの襟元に設けられた結合部に結合させると共に、前記帯片の上に設けられた他の結合部に、前記ノット状部またはノットに設けられた更に他の結合部を結合させることを特徴とするものである。
請求項１２に記載の発明は、請求項１０または１１において、
前記留め具の結合部の少なくとも１つが、帯片の表裏に同心的に固定されたスナップから構成されていることを特徴とするものである。
請求項１３に記載の発明は、請求項１乃至１２のいずれかにおいて、
大剣部の一部を、裏面側からつまむ事により、該大剣部の表面にディンプル（くぼみ）を形成したことを特徴とするものである。
請求項１４に記載の発明は、請求項１乃至１３のいずれかにおいて、
大剣部または小剣部の表面または裏面に、シャツの第１ボタン以外のボタンに係止するボタン係止部を設け、その位置をボタン位置に応じて自在に変更可能にしたことを特徴とするものである。
この構成により、ボタンとボタン係止部は、通常のネクタイピンの代わりになる役目をすることが可能である。
請求項１５に記載の発明は、請求項１４において、
ボタン係止部に係止されるシャツのボタンが、ボタンとスナップを合体させ、両方の機能を持たせたスナップ付きボタンであることを特徴とするものである。
請求項１６に記載の発明は、両端に結合部が設けられた帯片であって、該結合部をシャツの襟元に設けられた結合部に結合させた該帯片を、ネクタイとすることを特徴とするものである。
このネクタイでは、手で箱などを持ち運ぶとき、通常のネクタイとは違い、大剣部、小剣部が無いので、それらが邪魔になることがない。
請求項１７に記載の発明は、シャツの襟元に結合される留め具を介して、シャツ襟元に取り付けるようにした蝶ネクタイまたはリボンネクタイを表している。
請求項１８に記載の発明は、請求項１乃至１７のいずれかにおいて、
該ネクタイが装着されるシャツを表している。
このシャツには例えば、襟元に結合部があり、またスナップ付きボタンが付いている。
請求項１９に記載の発明は、ボタンとスナップを合体させ、両方の機能を持たせたことを特徴とするスナップ付きボタンを表している。
請求項２０に記載の発明は、ナプキンに１つ以上のスナップを取り付けたことを特徴とするナプキンを表している。
このナプキンを食事時に、本発明の各種ネクタイを覆うように装着することにより、ネクタイを汚さないで済む。
上述のように、本発明によるネクタイによれば、そのノット状部またはノットを、留め具を介してシャツの襟元に取り付けるようにしただけなので、装着・脱着が非常に容易である。また、紐の環を首周りにかけることが無いので、またシャツの第一ボタンは嵌めなくても良いので、装着時の首周りの圧迫が皆無であり、血行が悪くなったり、肩がこったりすることもない。さらに他人に引っ張られた場合に容易に外れるので、安全性が高い。また、体熱も逃げ易く、夏季においても涼しい。また、簡単な留め具を使用し、折りたたむこと、縫合や紐を結わえること等によりくびれを形成してノット状部を形成するだけで、または通常のネクタイの結び方でノット状部またはノットを形成するだけで済むので、製造コストが安い。また、単に折りたたみ、折り目線近傍にくびれを設けることによりノット状部を作るので、ネクタイの絵柄が連続し、美観に優れている。さらに、折り目線およびくびれの位置を変えることにより、ノット状部の大きさを変化させ、装着時のネクタイ長さを調整することが出来る。また、一対の結合部を互いに分離すること等により、展開した状態に容易に戻せるので、洗濯が可能であって洗濯しても型崩れを起こさない。
【図面の簡単な説明】    図１は、従来のネクタイ例１の要部を示す図である。
図２は、従来のネクタイ例２の要部を示す図
図３は、本発明によるネクタイの第１実施例の展開図
図４は、上記第１実施例の装着時の基本的形態を示す図
図５は、図４の背面図
図６は、図４のＶ−Ｖ線に沿う断面図
図７は、図４のＶ−Ｖ線に沿う他の例の断面図
図８は、本発明のネクタイにおける第１乃至６実施例のノット状部またはノットに挿入される形整具の一例を示す斜視図
図９は、本発明のネクタイにおける第１乃至６実施例のノット状部またはノットに挿入される形整具の他の例を示す斜視図
図１０は、上記第１乃至第６実施例の留め具を示す斜視図
図１１は、図１０の留め具が取り付けられるシャツの状態を示す図
図１２は、図１０の留め具をネクタイのノット状部１７に通した状態を示す斜視図
図１３ａは、上記第１実施例のネクタイをシャツに装着した図
図１３ｂは、図１３ａでシャツの襟をめくり上げた状態を示す図
図１４は、第１実施例で絵柄が連続していることを示す図
図１５は、第２実施例の形整具と留め具の図
図１６ａは、第２実施例のネクタイの正面図
図１６ｂは、第２実施例のネクタイの背面図
図１７ａは、本発明の第３及び４実施例のネクタイをシャツに装着した図
図１７ｂは、図１７ａでシャツの襟をめくり上げた状態を示す図
図１８ａは、通常のネクタイを結んだ状態を示す正面図
図１８ｂは、図１７ａの背面図
図１９ａは、本発明の第３実施例のネクタイを表す正面図
図１９ｂは、図１９ａの背面図
図２０ａは、上記第４実施例のネクタイをシャツに装着した状態を表す図
図２０ｂは、図２０ａでシャツの襟をめくり上げた状態を示す図
図２１ａは、上記第４実施例のネクタイの正面図
図２１ｂは、図２１ａの背面図
図２２ａは、第５実施例のネクタイの正面図
図２２ｂは、第５実施例のネクタイの背面図
図２３は、本発明によるネクタイの第６実施例の留め具を示す斜視図
図２４は、上記第６実施例のネクタイの要部を示す図
図２５ａは、スナップペア付き帯片の平面図
図２５ｂは、スナップペア付き帯片の正面図
図２６は、ネクタイのディンプルを示す図
図２７は、図２６のＶＩ−ＶＩ線に沿う断面図
図２８ａは、ボタン係止部に係止されるシャツのスナップ付きボタンを表す正面図
図２８ｂは、図２８ａのＶＩＩ−ＶＩＩ線に沿う断面図
図２９ａは、ボタン係止部の一部である小剣止めに付けたマジックテープのオスを示す図
図２９ｂは、図２９ａの下面図
図３０ａは、ボタン係止部の一部であるマジックテープのメスとメスのスナップを示す図
図３０ｂは、図３０ａの下面図
【発明を実施するための最良の形態】  以下、図面に示した実施例に基づいてこの発明を詳細に説明する。
図３はこの発明によるネクタイの第１実施例の展開図であり、図４は装着時の基本的形態を示す図、図５はその背面図であり、図６は図４のＶ−Ｖ線に沿う断面図である。
本発明によるネクタイ１０は、大剣部１１と小剣部１２とからなり、大剣部１１と小剣部１２との間で、両部の裏面同士が合うように折り目線１３に沿って折りたたむことにより、ネクタイの装着時の基本的な形態となるようになっている。また、従来のネクタイと同様に、大剣部１１の裏面の適所には、小剣部１２を挿通して止めるための小剣止め１４が取り付けられている。
そして、折り目線１３の近傍の小剣部１２を、中央線に沿って表側から裏側に折りたたみ、必要ならば更に、紐で結わえるか、縫合することにより、絞り１５を形成する。なお、絞り１５は、小剣部１２を中央線に沿って裏側から表側に折りたたむものであってもよい。該絞り１５を形成してから、折り目線１３に沿って折りたたみ、更に絞り１５を大剣部１１で包み込み、且その両縁部を結合させることによりくびれ１９を形成し、くびれ１９と折り目線１３との間にノット状部１７を形成させている。なお、上記の両縁部を結合させる方法としては、図３に示すように、大剣部１２の裏面に一対の結合部１６ａおよび１６ｂ（例えば、スナップ、マジックテープ、フックなど）を設け、これらを互いに結合させるやり方がある。また、図示していないが、両縁部を縫合させるやり方や、紐やスカーフなどで大剣部１２の周りを結わく方法もある。
図４や、その背面図である図５におけるくびれ１９に対応する部分の断面は、図６に示す通りである。なお、絞り１５を形成する際に、図７に示すように、小剣部１２を二重に折りたたむこともできる。
また、ノット状部１７内に、例えば図８に示したような略三角形の形整具２７や、図９に示す略三角形の本体部２８ａと垂下部２８ｂとからなる他の形整具２９を挿入して、ノット状部１７の形状を美しく整えてもよい。この形整具に、留め具のための穴４０を明けても良い。
また、大剣部１１の裏面または、小剣部１２の表面または裏面のくびれ１９から離れた位置に、シャツの第１ボタン以外のボタンに係止するボタン係止部１８が設けられている。このボタン係止部１８としては、ボタン穴付き帯片を使用でき、または後述するスナップ付きボタン７０と嵌りあうスナップでも良く、または小剣部１２に直接形成されたボタン穴であってもよい。
図１０は、本実施例のネクタイ１０で用いられる留め具である帯片３０を示している。また、図１１はこの帯片３０と結合されるシャツ２０の襟元に設けられた結合部２２を示している。この図１１では、シャツの襟２１をめくり上げた状態が示されている。また図１２は、この帯片３０をノット状部１７に通した後の状態を表している。また図１３ａは、結合部３１を、結合部２２に結合させることにより、本発明のネクタイ１０をシャツ２０に装着した状態を示している。図１３ｂは、図１３ａでシャツの襟２１をめくり上げた状態を示している。
図１３ａ、図１３ｂで示されるネクタイは、今まで存在しなかった斬新なデザインのそれであり、ネクタイの絵柄が断続されることなくそのままに現れ、美観に優れている。
例として図１４では、人の頭部がノット状部にあり大剣部の胴体へと連続して描かれている。
なお、図１２において、ボタン係止部１８が付いていると、帯片３０をシャツ２０から外しても、まだネクタイ１０はシャツ２０に保持されているため、ネクタイ１０を落として汚れるのを防ぐことが出来る。また、ネクタイ１０の浮き上がりも押えられる。
図１０での帯片３０は、ある程度の伸縮性や可撓性を有する材料が良く、ゴム製品、布、プラスチックなどが適している。また両端の結合部３１には、結合されるシャツ２０を洗濯することを考慮して、着脱が可能なものが良く、スナップ、マジックテープ、ボタン、ボタン穴、フックなどがある。なお、結合部３１は、左右で違ったものでも良く、図１０のように、左がスナップで右がボタン穴である場合もある。また、これら結合部３１は、縫合、接着、カシメなどの方法で、帯片３０に取り付ける。また、図１１の結合部２２も、結合部３１と同じ方法でシャツ２０に取り付けられる。
かくして、本実施例によれば、上述のごとく装着が非常に容易である。また、装着時の首周りの圧迫が皆無であり、血行が悪くなったり、肩がこったりすることもない。また、体熱も逃げ易く、夏季においても涼しい。また、簡単な帯片３０を使用し、通常のネクタイに、くびれ１９やボタン係止部１８を取り付けるなど、若干の変更をするだけで済むので製造コストが安い。また、単に折りたたみ、折り目線１３の近傍にくびれ１９を設けることによりノット状部１７を作るので、ネクタイの絵柄が連続し、美観に優れている。さらに、折り目線１３及びくびれ１９の位置を変えることにより、ノット状部１７の大きさを変え、装着時の長さを調整することが出来る。また、一対の結合部１６ａおよび１６ｂを互いに分離することにより図３に示した状態、すなわち展開した状態に容易に戻せるので、洗濯が可能であって洗濯しても型崩れを起こさない。さらに、一対の結合部１６ａおよび１６ｂやボタン係止部１８を取り外し、絞り１５の折りたたみ、縫合または結わえた紐を解けば、通常のネクタイの状態に容易に戻す事ができる。
また、本発明によるネクタイの第２実施例として、図１５のように、形整具２９の穴４０に帯片３０を通し、これらの周りにネクタイを通常の結び方（セミ・ウィンザーノット、ウィンザーノットなどと基本的に同じで、ただ首周り部が無い）で結ぶと図１６ａ、図１６ｂ（図１６ａの背面図）が得られる。そして帯片３０をシャツ襟元に結合させることにより図１７ａ、図１７ｂ（図１７ａの背面図）が得られる。
図１７ａだけを見ると、首に巻いて装着される通常のネクタイと誰しも考えるが、シャツの襟２１をめくり上げると、図１７ｂのようになっており、今までに無い新しいタイプのネクタイであることが分かる。外見上は通常のネクタイ変わらないが、首に巻かないので、首周りの圧迫感が無く、着ていて爽快である。
また、本発明によるネクタイの第３実施例として、図１８ａ、図１８ｂ（図１８ａの背面図）のように、ネクタイを通常の結び方（セミ・ウィンザーノット、ウィンザーノットなど）で結び、図１９ａ（正面図）、図１９ｂ（背面図）のように、その結び目５０を含むノット状部１７に帯片３０を通し、この帯片３０をシャツ襟元に結合させることにより吊架されるようにしたネクタイを示す。
図１８ａ，１８ｂのネクタイは、通常の結び方で結んだものであり、首周り部５１が、首の廻りに巻かれるものである。小剣部１２を引っ張ると、首周り部５１が小さくなり、結び目５０の正面結び部５２に隠れてしまうと、図１９ａ（正面図）、図１９ｂ（背面図）が得られる。
すなわち、図１９ａ、１９ｂにおいて帯片３０を、左結び部５４、右結び部５３の中に通した後に、小剣部１２を引っ張り、結び目５０の中に首周り部５１を引き込むことによりノット状部１７が形成される。
この実施例のネクタイを、図１１の結合部２２に結合させることにより、図１７ａ、１７ｂに示した状態となる。
次に、第４実施例である図２０ａ、２０ｂに示される新しいタイプのネクタイを説明する。図２０ｂは、図２０ａにおいてシャツの襟２１をめくり上げた状態を示している。これらの図において、ネクタイをシャツ２０の襟元から外したものを図２１ａ、２１ｂ（図２１ａの背面図）に示す。
このネクタイでは、通常のネクタイ結び目５０の上部に、首周り部の一部５５を露出した状態で残したことを特徴としている。すなわち図２１ａ、２１ｂにおいて帯片３０を、左結び部５４、右結び部５３の中に通した後に、小剣部１２を引っ張って、正面結び部５２の上部に、首周り部の一部５５が残るようにする事によりノット状部１７が形成されている。
そうしてこの実施例のネクタイを、図１１の結合部２２に結合させることにより、図２０ａ、２０ｂで示される全く新しいデザインのネクタイが得られる。
この新しいネクタイは、結び目が２段になったようなものであり、上下に色違いにして色彩の変化を楽しんでも良い。また上の段に、団体などの紋章をあしらう事なども考えられる。
また、第５実施例である図２２ａ、２２ｂ（図２２ａの背面図）に示される今までに無いデザインのネクタイも考えられる。これは第２乃至４実施例のネクタイにおいて、そのノット状部１７の下近傍にくびれ５６を形成したものである。
すなわち図１６ａ、１６ｂ、１９ａ、１９ｂ、２１ａ、２１ｂにおいて、ノット状部１７またはノット５０の下近傍の大剣部１１及び小剣部１２に関して、小剣部１２を包み込むように大剣部１１の両縁部を結合し（この結合方法はくびれ１９と同様である）、ノット状部１７またはノット５０の下にくびれ５６を形成させている。
この実施例のネクタイの形状は、通常の首周りに巻いて結ばれるネクタイと何ら変わらないものになっている為、通常のネクタイに取って代わることが期待されている。
なお、図１９ｂ、図２１ｂに示されるように、小剣部１２の裏面に、シャツ２０の第１ボタン以外のボタンに係止するボタン係止部１８を設けても良い。
また、第６実施例として、図２３に示したように帯片３０に結合部３２ａとしてスナップ、ボタン、マジックテープ、フックなどを取り付け、図２４に示したネクタイ１０の結合部３２ｂには、それぞれの対になるものを取り付け、該結合部３２ａに結合することにより、ネクタイ１０を、シャツ２０の襟元に吊架させるものである。
上述のように、本発明の第２乃至６実施例によるネクタイによれば、通常の結び方で作られるノット５０またはノット状部１７を有するネクタイを、簡単にシャツ２０の襟元に装着でき、首周りの圧迫が皆無であり、他人に引っ張られた場合でも容易に外れるので、安全性が高い。またネクタイを元の状態に戻して、洗濯することも出来、夏季においては特に好都合である。また何より、このネクタイを使えば、毎日出勤前にネクタイを結ぶ手間が省け、かつネクタイの寿命を延ばすことが出来るなど色々なメリットが生じる。よってネクタイが嫌いな人が、本発明のネクタイを喜んで使って戴けるものと確信する次第である。
次にスナップに嵌りあうスナップペア付き帯片８０を図２５ａ（平面図）図２５ｂ（正面図）に示す。このスナップペア付き帯片８０は、その結合部の少なくとも１つが、表裏に同心的に固定されたオス・メスのスナップで構成されており、オスのスナップ８１、メスのスナップ８２のスナップペアと、ボタン穴８３が示されている。
図１２のネクタイ１０における帯片３０の代わりに、上記スナップペア付き帯片８０を使用して、図１３ｂの如くネクタイ１０をシャツ２０（図１１の結合部２２にスナップ付きボタン７０を使う）に装着すると、シャツ２０の襟元の左右にオスのスナップ８１がある事になる。これらオスのスナップ８１に、例えばナプキン（これには、嵌りあうメスのスナップ８２を取り付ける）のメスのスナップ８２を結合することにより、食事する際にネクタイ１０、シャツ２０などを汚さずに食事を済ますことが出来て便利である。
この例の他にも、スナップ付きボタン７０、スナップペア付き帯片８０は、これらと結合されるものを簡単に装着、取り外しが出来るので利用範囲が広く、ネクタイに限らず衣服全般に使用できるものである。
さて最近では、ネクタイにディンプル（くぼみ）をつけることが流行しだしているが、本発明では図２６にそれが示されている。図２７は、図２６のＶＩ−ＶＩ線に沿う断面図である。ノット状部１７の下部にディンプル６０が形成されている。これは、図２７の大剣部１１の一部を、裏面側からつまむ事により、つまみ６１を作り出している。つまむ方法としては、縫合や、クリップなどで大剣部１１を挟むこと、などが考えられる。
上述のように、図１２、図１９ｂ、図２１ｂに示す如く、小剣部１２の表面または裏面に、ボタン係止部１８を設け、シャツ２０の第１ボタン以外のボタンに係止させることにより、ネクタイを落として汚れるのを防ぐと同時に、ネクタイの浮き上がりを押えることが出来る。この際ボタン係止部１８として、スナップを使い、これと嵌りあう相手としてスナップ付きボタン７０を発明した。
すなわち、図２８ａ、２８ｂ（図２８ａのＶＩＩ−ＶＩＩ線に沿う断面図）に示すように、ボタン７１の表面を、スナップ７２の外径より少し大きい径に凹まし、接着剤を使用してその面とスナップ７２の底面を、貼り合わせることによりスナップ付きボタン７０が作られる。なお上記のボタンの凹みを作らないで貼り合せてスナップ付きボタン７０を作っても構わない。そして、このスナップ付きボタン７０を、ボタン穴７３を使いシャツ２０に縫い付けて固定させ、ボタン係止部１８と結合させる。
また上記のスナップ付きボタン７０は、成型（材料はナイロンや尿素など）で作られるボタンにあっては、ボタンとスナップを成型で一体に製作することも可能である。
次にこのスナップ付きボタン７０を使って、ネクタイピンと同じ機能を持たせることができる。
すなわちシャツの第５ボタンなどを、このスナップ付きボタン７０に変更し、これに嵌り合うメスのスナップ８２を、図２９ａ、２９ｂ、３０ａ、３０ｂに示すようにネクタイの大剣部１１に設ける。しかし丁度ピッタリとオス・メスのスナップを合わせるようにするのは難しい。そこでマジックテープのオス４１、メス４２を使用してスナップ付きボタン７０の位置に応じて、大剣部１１にあるメスのスナップ８２の位置を自在に変更できるものを発明した。
すなわち図２９ａ，２９ｂで、大剣部１１にある例えば小剣止め１４の中央部に、マジックテープのメス４２を付ける。付ける方法として接着、縫合などがある。
そしてこれに嵌り合うマジックテープのオス４１を、図３０ａ，３０ｂの如く生地４３（メスのスナップ８２が例えば縫合されている）に付ける。付ける方法は、接着、縫合などである。このマジックテープのオス４１・メス４２の重なり量を自在に変えることにより、オス・メスのスナップの位置をピッタリ合わせることが可能になる。
このオス・メスのスナップにより、ネクタイピンと同じように、ネクタイが曲がる事、ブラブラすることを防止でき、ファッション的にも恰好良いものである。
またマジックテープ同志の結合力を、スナップのそれより強くすることにより、ネクタイをシャツから離すとき、スナップで離れるようになる。これは、例えば車に乗ってシートベルトをする時、ネクタイをシャツから外してからベルトを締めたりするのに大変便利である。
次に新しいネクタイとして、図２５ａ、２５ｂに示される両端に結合部を持つ帯片をネクタイとするものである。帯片の材料としてはゴム製品、布などであり、その表面に彩色し、各種マークを付けたりして使用できる。大剣部１１などが無いので、品物を胸に抱えて運ぶときに便利なものである。
また通常の蝶ネクタイ・リボンネクタイは、紐を首に廻して使用されるが、本発明の留め具を採用することにより首周りの圧迫感の無いものとなる。
最後に、本発明のネクタイに合うシャツが求められる。襟元に結合部が設けられており、またスナップ付きボタンが使用されている必要がある。
【産業上の利用可能性】  本発明におけるネクタイは、以上説明したように構成されているため、従来使用されているネクタイ、簡易着脱式ネクタイに代わる、新規なネクタイとして老若男女を問わず使用できる。
また本発明のネクタイでは、留め具を介してシャツの襟元に吊架させるだけなので、首周りの圧迫感が無く、装着・脱着が数秒で行える。またネクタイを容易に洗濯でき、ノット状部と大剣部が続づいているため、絵柄が連続し美観に優れている。夏の暑い日に装着しても快適であり、省エネ効果もある。そして、ネクタイ嫌いの人に好まれること必定である。
ネクタイは首に巻くもの、面倒なものであるという固定観念を打ち破る“ネクタイ革命”になる。これらにより、この発明に係わるネクタイは、実用上の効果が大きいものである。
【図１】
2005023033.tif 000003
【図２】
2005023033.tif 000004
【図３】
2005023033.tif 000005
【図４】
2005023033.tif 000006
【図５】
2005023033.tif 000007
【図６】
2005023033.tif 000008
【図７】
2005023033.tif 000009
【図８】
2005023033.tif 000010
【図９】
2005023033.tif 000011
【図１０】
2005023033.tif 000012
【図１１】
2005023033.tif 000013
【図１２】
2005023033.tif 000014
2005023033.tif 000015
【図１４】
2005023033.tif 000016
【図１５】
2005023033.tif 000017
2005023033.tif 000018
2005023033.tif 000019
2005023033.tif 000020
2005023033.tif 000021
2005023033.tif 000022
2005023033.tif 000023
2005023033.tif 000024
【図２３】
2005023033.tif 000025
【図２４】
2005023033.tif 000026
2005023033.tif 000027
【図２６】
2005023033.tif 000028
【図２７】
2005023033.tif 000029
2005023033.tif 000030
2005023033.tif 000031
2005023033.tif 000032
【手続補正書】
【提出日】平成17年10月3日(2005.10.3)
【手続補正００１】
【補正対象書類名】特許請求の範囲
【補正対象項目名】全文
【補正方法】変更
【補正の内容】
【書類名】特許請求の範囲
【請求項１】ネクタイを切断・分離・穴あけ加工しないで、ネクタイにノット状部またはノット（結び目）を形成し、そのノット状部またはノット内に、形整具を挿入し、さらにそのノット状部またはノットを、留め具を介して、シャツ襟元に取り付けることにより、ネクタイが吊架されるようにし、前記留め具が、両端に結合部が設けられた帯片であって、該結合部をシャツの襟元に設けられた結合部に結合させることを特徴とするネクタイ。
【請求項２】ネクタイを、その大剣部と小剣部の間で、両部の裏面同士が合うように折り目線に沿って折りたたむことを前提にして、その折り目線近傍の小剣部を中央線に沿って折りたたむことにより絞りを形成し、ネクタイを折り目線に沿って折りたたんだ後、該絞りを折り目線近傍の大剣部で包み込み、且その両縁部を結合することによりくびれを形成し、該くびれと折り目線との間にノット状部を形成するようにしたことを特徴とする、請求項１に記載のネクタイ。
【請求項３】前記ノット状部と大剣部は連続し、それらの表面に、絵柄や各種デザイン、装飾を施して成ることを特徴とする、請求項１または２に記載のネクタイ。
【請求項４】前記形整具と前記留め具の周りにネクタイを結ぶことにより、ノットを形成し、そのノットをシャツの襟元に取り付けることを特徴とする、請求項１に記載のネクタイ。
【請求項５】（削除）
【請求項６】（削除）
【請求項７】（削除）
【請求項８】ネクタイを吊架するために、前記ノット状部またはノットに前記帯片を通すようにしたことを特徴とする、請求項１乃至４のいずれかに記載のネクタイ。
【請求項９】ネクタイを吊架するために、前記帯片の上に設けられた他の結合部に、前記ノット状部またはノットに設けられた更に他の結合部を結合させることを特徴とする、請求項１乃至４のいずれかに記載のネクタイ。
【請求項１０】前記留め具の結合部の少なくともｌつが、帯片の表裏に同心的に固定されたオス・メスのスナップから構成されていることを特徴とする、請求項８または９に記載のネクタイ。
【請求項１１】大剣部の一部を、裏面側からつまむ事により、該大剣部の表面にディンプル（くぼみ）を形成したことを特徴とする、請求項１乃至４及び８乃至１０のいずれかに記載のネクタイ。
【請求項１２】大剣部の裏面、または小剣部の表面または裏面に、シャツの第１ボタン以外のボタンに係止するボタン係止部を設け、その位置をボタン位置に応じて自在に変更可能にしたことを特徴とする、請求項１乃至４及び８乃至１１のいずれかに記載のネクタイ。
【請求項１３】ボタン係止部に係止されるシャツのボタンが、ボタンとスナップを合体させ、両方の機能を持たせたスナップ付きボタンであることを特徴とする、請求項１２に記載のネクタイ。
【請求項１４】（削除）




【手続補正書】
【提出日】平成18年6月12日(2006.6.12)
【手続補正１】
【補正対象書類名】特許請求の範囲
【補正対象項目名】全文
【補正方法】変更
【補正の内容】
【特許請求の範囲】
【請求項１】
ネクタイを切断・分離・穴あけ加工しないで、ネクタイにノット状部またはノット（結び目）を形成し、そのノット状部またはノット内に、形整具を挿入し、さらにそのノット状部またはノットを、伸縮性を有する留め具を介して、シャツ襟元に取り付けることにより、ネクタイが吊架されるようにし、前記留め具が、両端に結合部が設けられた帯片であって、該結合部をシャツの襟元に設けられた結合部に結合させることを特徴とするネクタイ。
【請求項２】
ネクタイを、その大剣部と小剣部の間で、両部の裏面同士が合うように折り目線に沿って折りたたむことを前提にして、その折り目線近傍の小剣部を中央線に沿って折りたたむことにより絞りを形成し、ネクタイを折り目線に沿って折りたたんだ後、該絞りを折り目線近傍の大剣部で包み込み、且その両縁部を結合することによりくびれを形成し、該くびれと折り目線との間にノット状部を形成するようにしたことを特徴とする、請求項１に記載のネクタイ。
【請求項３】
前記ノット状部と大剣部は連続し、それらの表面に、絵柄や各種デザイン、装飾を施して成ることを特徴とする、請求項１または２に記載のネクタイ。
【請求項４】
前記形整具と前記留め具の周りにネクタイを結ぶことにより、ノットを形成し、そのノットをシャツの襟元に取り付けることを特徴とする、請求項１に記載のネクタイ。
【請求項５】
ネクタイを吊架するために、前記ノット状部またはノットに前記帯片を通すようにしたことを特徴とする、請求項１乃至４のいずれかに記載のネクタイ。
【請求項６】
ネクタイを吊架するために、前記帯片の上に設けられた他の結合部に、前記ノット状部またはノットに設けられた更に他の結合部を結合させることを特徴とする、請求項１乃至４のいずれかに記載のネクタイ。
【請求項７】
前記留め具の結合部の少なくとも１つが、帯片の表裏に同心的に固定されたオス・メスのスナップから構成されていることを特徴とする、請求項５または６に記載のネクタイ。
【請求項８】
大剣部の一部を、裏面側からつまむ事により、該大剣部の表面にディンプル（くぼみ）を形成したことを特徴とする、請求項１乃至７のいずれかに記載のネクタイ。
【請求項９】
大剣部の裏面、または小剣部の表面または裏面に、シャツの第１ボタン以外のボタンに係止するボタン係止部を設け、その位置をボタン位置に応じて自在に変更可能にしたことを特徴とする、請求項１乃至７のいずれかに記載のネクタイ。
【請求項１０】
ボタン係止部に係止されるシャツのボタンが、ボタンとスナップを合体させ、両方の機能を持たせたスナップ付きボタンであることを特徴とする、請求項９に記載のネクタイ。
【国際調査報告】
2005023033.tif 000033
2005023033.tif 000034
2005023033.tif 000035
2005023033.tif 000036
2005023033.tif 000037
2005023033.tif 000038